(57)【特許請求の範囲】
【請求項１】
デバイス依存のＣＭＹＫ網％データを、標準の印刷条件に基づき作成され、該標準の印刷条件に固有の階調特性を有する色変換手段により測色値データに変換する際、
前記ＣＭＹＫ網％データを所望の印刷条件に対応する階調に変換するＣＭＹＫ各色毎の階調変換手段を前記色変換手段の前段に配置し、
前記ＣＭＹＫ各色毎の階調変換手段に設定される各階調特性を作成する際に、前記標準の印刷条件に基づき作成された色変換手段を、ＣＭＹＫ各色毎の固有の階調特性と線形色変換手段とに分離し、分離した前記ＣＭＹＫ各色毎の固有の階調特性の出力網％変化量と、前記ＣＭＹＫ各色毎の階調変換手段に設定される階調特性の入力網％変化量とが一致するように作成する
ことを特徴とする印刷階調補正方法。
【請求項２】
請求項１記載の方法において、
前記階調変換手段に設定される前記階調特性を作成する際に、
分離した前記固有の階調特性の逆関数を求め、求めた逆関数による特性を前記階調変換手段に設定される前記階調特性とすることを特徴とする印刷階調補正方法。
【請求項３】
請求項１記載の方法において、
前記固有の階調特性は、前記標準の印刷条件に基づき作成された色変換手段の入出力特性をＣＭＹＫ各色毎に求め、ＣＭＹＫ各色の網％の０値と１００値における出力各測色値のうち、差が最大となる測色値の階調特性に基づき作成されている
ことを特徴とする印刷階調補正方法。
【請求項４】
請求項１記載の方法において、
前記固有の階調特性は、前記標準の印刷条件に基づき作成された色変換手段の入出力特性をＣＭＹＫ各色毎に求め、ＣＭＹＫ各色の網％の０値と１００値における出力各測色値の重み付け平均値により求めた階調特性に基づき作成されている
ことを特徴とする印刷階調補正方法。
【請求項５】
デバイス依存のＣＭＹＫ網％データを所望の印刷条件に対応する階調特性に変換するＣＭＹＫ各色毎の階調変換手段と、
階調変換された前記ＣＭＹＫ網％データを測色値データに変換する色変換手段とを備え、
前記色変換手段は、標準の印刷条件に基づき作成され、該標準の印刷条件に固有の階調特性を有し、
前記ＣＭＹＫ各色毎の階調変換手段に設定される各階調特性を作成する際に、前記標準の印刷条件に基づき作成された色変換手段を、ＣＭＹＫ各色毎の固有の階調特性と線形色変換手段とに分離し、分離した前記ＣＭＹＫ各色毎の固有の階調特性の出力網％変化量と、前記ＣＭＹＫ各色毎の階調変換手段に設定される階調特性の入力網％変化量とが一致するように作成されている
ことを特徴とする印刷階調補正装置。
【請求項６】
請求項５記載の装置において、
前記階調変換手段に設定される前記階調特性を作成する際に、
分離した前記固有の階調特性の逆関数の特性を前記階調変換手段に設定される前記階調特性とする
ことを特徴とする印刷階調補正装置。
【請求項７】
請求項５記載の装置において、
前記固有の階調特性は、前記標準の印刷条件に基づき作成された色変換手段の入出力特性をＣＭＹＫ各色毎に求め、ＣＭＹＫ各色の網％の０値と１００値における出力各測色値のうち、差が最大となる測色値の階調特性に基づき作成されている
ことを特徴とする印刷階調補正装置。
【請求項８】
請求項５記載の装置において、
前記固有の階調特性は、前記標準の印刷条件に基づき作成された色変換手段の入出力特性をＣＭＹＫ各色毎に求め、ＣＭＹＫ各色の網％の０値と１００値における出力各測色値の重み付け平均値により求めた階調特性に基づき作成されている
ことを特徴とする印刷階調補正装置。
【発明の詳細な説明】
【０００１】
【発明の属する技術分野】
この発明は、輪転機等を利用するカラー印刷機により印刷本紙を用いてカラー印刷物を作成する前に、校正のためのカラー画像が校正紙上に形成されたカラー印刷プルーフ（カラー印刷校正刷りまたは単に校正刷りともいう。）をプリンタ等の印刷用プルーファにより作成する印刷プルーフ作成システムに適用して好適な印刷階調補正方法およびその装置に関する。
【０００２】
【従来の技術】
従来から、製品としての網点画像によるカラー画像が印刷本紙（最終製品となる正式な用紙）に形成されたカラー印刷物をカラー印刷機により作成する前段階で、色等の校正用の校正刷りをカラープリンタ等の印刷用プルーファにより作成している。
【０００３】
印刷用プルーファを使用するのは、印刷機で必要とされている製版フイルムや刷版（ＰＳ版）等の作成が不要で短時間に複数回容易に校正紙上にカラー画像が形成されたハードコピー、すなわち校正刷りを作成することができるからである。
【０００４】
校正紙上にプルーフ用のカラー画像を形成するためには、まず、デバイス（印刷、写真、イメージセンサ、ＣＲＴ、ＬＥＤ等）依存の画像データ、例えば、ＣＭＹＫ（シアン、マゼンタ、黄、墨）画像データを、予めメーカー等により与えられた標準的な印刷プロファイル（４次元のルックアップテーブル等）により、一旦、デバイス非依存の画像データである測色値データ、例えば、ＸＹＺ（刺激値）画像データに変換する。次に、印刷用プルーファプロファイル、例えば、プリンタプロファイル（３次元のルックアップテーブル）によりカラープリンタ用のデバイス依存の画像データ、例えば、ＲＧＢ（赤、緑、青）画像データに変換する。最後に、このデバイス依存の画像データを用いてカラープリンタ（校正用プリンタともいう。）により校正紙上にカラー画像が形成された校正刷りを作成する。
【０００５】
このようにすれば、印刷機により作製される印刷物の色をカラープリンタの校正刷りによりシミュレーションして実際の印刷の前工程で確認することができる。
【０００６】
【発明が解決しようとする課題】
ところで、与えられた標準的な印刷プロファイルが、これから実際に使用しようとする印刷機の印刷適性（インキ、紙、印刷機自体等の印刷条件）に対応していない場合が多々存在する。
【０００７】
すなわち、印刷条件は、インキ、紙、印刷機の種類の違いはもちろんのこと、同じ種類であっても、製造ロットの違いや印刷時の環境温度など、非常に多くのパラメータにより変化するものであるから、メーカ等が提供した標準的な印刷プロファイルの印刷条件が、実際にユーザが使用する印刷機の印刷条件（所望の印刷条件）と完全に一致することは皆無であり、標準的な印刷条件から実際の印刷条件（所望の印刷条件）に合わせて印刷プロファイルを調整することが必要である。
【０００８】
この場合、一般に使用されるインキと紙（印刷本紙）の種類はある程度限定されているので、印刷条件が異なっていても紙色とベタは比較的に安定しているが、実際の印刷機で刷るときの条件で中間調が大きく変わることがある。これを簡易に調整するため、標準的な印刷プロファイルである前記４次元ＬＵＴの前段にＣＭＹＫのトーンカーブ（階調特性、ドットゲインともいう。）を調整するためのＣＭＹＫ各１次元のルックアップテーブルを挿入し、Ｃ→Ｃ′、Ｍ→Ｍ′、Ｙ→Ｙ′、Ｋ→Ｋ′の網％の変換を行って補正している。
【０００９】
しかしながら、前記４次元ＬＵＴ内には、標準の印刷条件が持っている固有のドットゲインが含まれているので、前記所望の印刷条件に対する前記ＣＭＹＫ各１次元のルックアップテーブルでのトーンカーブの調整量、換言すれば、入力網％の変化量が、前記固有のドットゲインの出力網％の変化量と一致せず、実際の調整作業にはきわめて熟練を要する。
【００１０】
この発明はこのような課題を考慮してなされたものであり、与えられた印刷プロファイルの階調（ドットゲイン）特性と、所望の印刷条件の階調（ドットゲイン）特性とが一致していないとき、ユーザの感性に合った調整手法により容易に一致させることを可能とする印刷階調補正方法およびその装置を提供することを目的とする。
【００１１】
【課題を解決するための手段】
この発明では、デバイス依存のＣＭＹＫ網％データを測色値データに変換するための標準の印刷条件に基づき作成された色変換手段の前段にＣＭＹＫ各色毎の階調変換手段を配置し、このＣＭＹＫ各色毎の階調変換手段に設定される各階調変換特性を、ＣＭＹＫ各網％画像データに対する入力網％の変化量と前記色変換手段に固有の階調特性の出力網％の変化量とが一致するように作成している。
【００１２】
このため、与えられた印刷プロファイルの階調（ドットゲイン）特性と、所望の印刷条件の階調（ドットゲイン）特性とが一致していないとき、ユーザの感性に合った調整手法により容易に一致させることができる。
【００１３】
この場合、標準の印刷条件に基づき作成された色変換手段を、ＣＭＹＫ各色毎に、固有の階調特性と線形色変換手段とに分離し、分離した前記固有の階調特性の逆関数を求め、この逆関数による特性を前記階調変換手段に設定される階調特性とすることにより、簡易に階調特性を作成することができる。
【００１４】
なお、固有の階調特性は、前記標準の印刷条件に基づき作成された色変換手段の入出力特性をＣＭＹＫ各色毎に求め、ＣＭＹＫ各色の網％の０値と１００値における出力各測色値のうち差が最大の階調特性、または出力各測色値の重み付け平均値により求めた階調特性に基づき作成する。
【００１５】
【発明の実施の形態】
以下、この発明の一実施の形態について図面を参照して説明する。
【００１６】
図１は、この発明の一実施の形態が適用された印刷プルーフシステム１０の構成を示している。この印刷プルーフシステム１０は、コンピュータよりなる色変換部１２を有し、入力するデバイス依存の画像データであり、例えば、それぞれが網％データであるＣＭＹＫ各色の印刷用画像データ（以下、単に、ＣＭＹＫ印刷用画像データともいう。）Ｉｉｎ＝Ｉｉｎ（Ｃ，Ｍ，Ｙ，Ｋ）をデバイス依存の画像データであるＲＧＢ各色の画像データ（以下、単に、ＲＧＢ画像データともいう。）Ｉｏｕｔ＝Ｉｏｕｔ（Ｒ，Ｇ，Ｂ）に変換した後、印刷用プルーファとしての画像出力装置である、例えば、プリンタ１４に出力する。
【００１７】
この場合、ＣＭＹＫ印刷用画像データＩｉｎは、画像入力装置、例えば、スキャナ１６により原稿画像から得られたＲＧＢ画像データをコンピュータからなる色分解部１８において、印刷適性に合うように、いわゆる３色４色分解（ＲＧＢ→ＣＭＹＫ）を施して分解されたデータである。なお、この発明の要部ではないので詳しく説明しないが、色分解部１８では、周知の色修正、階調修正等が行われる。
【００１８】
色分解部１８の出力側に接続される色変換部１２は、ＣＭＹＫ各色の印刷用画像データＩｉｎをＣＭＹＫ各色毎に階調変換を行う１次元変換のルックアップテーブル（以下、ＬＵＴともいう。）２１〜２４と、ＬＵＴ２１〜２４により行われた階調変換後のＣＭＹＫ各色の印刷用画像データＩｉｎ′＝Ｉｉｎ′（Ｃ′，Ｍ′，Ｙ′，Ｋ′）を、予め与えられている色変換手段としての標準的な印刷プロファイル２６により、デバイス非依存の画像データである測色値データとしてのＸＹＺ測色値データＩｃｖ＝Ｉｃｖ（Ｘ，Ｙ，Ｚ）に変換する。
【００１９】
標準的な印刷プロファイル２６は、後述するように、非線形の４次元ＬＵＴである標準的な印刷プロファイル２６を、線形４次元ＬＵＴ５５と、非線形部分に係わる固有の階調（ドットゲイン）特性を表すＣＭＹＫ各色毎のＬＵＴ５１〜５４に分解することができる。
【００２０】
印刷プロファイル２６から出力されるＸＹＺ測色値データＩｃｖが、色変換手段としてのプリンタプロファイル３６によりＲＧＢ画像データＩｏｕｔ＝（Ｒ，Ｇ，Ｂ）に変換される。
【００２１】
このＲＧＢ画像データＩｏｕｔがプリンタ１４に供給されることで、プリンタ１４から校正用被印刷体としての専用紙であるカラーペーパー４０上に画像３９が形成された校正刷り４２が出力される。
【００２２】
プリンタ１４としては、例えば、ＲＧＢ画像データＩｏｕｔに対応して発光され、ＲＧＢ各画像データＩｏｕｔに応じて強度変調されたＲＧＢの各レーザ光によりカラーペーパー４０上を走査して潜像を露光記録し、現像して顕像を形成するレーザプリンタ等を使用することができる。なお、以下の説明において、カラーペーパー４０とは現像後のカラーペーパーを意味する。
【００２３】
次に、色変換部１２で使用される階調（ドットゲイン）特性変換用のＬＵＴ２１〜２４、標準的な印刷プロファイル２６およびプリンタプロファイル３６のそれぞれの作成手順について説明する。
【００２４】
まず、プリンタプロファイル３６は、予めメーカー等により与えられているものであるが、これを作成する場合には、ＲＧＢ画像データＩｏｕｔのＲＧＢ各色毎に、値を０値から最大値まで所定の刻みで変化させ、ＲＧＢ各色の組合せにかかる色パッチをカラーペーパー４０上に形成し、形成された各色パッチを測色計により測定してＸＹＺ測色値データを求め、ＲＧＢ画像データとＸＹＺ測色値データとの変換テーブルを作成する。この変換テーブルを逆変換し必要に応じて補間処理をすることで、ＸＹＺ測色値データ（図１例では、測色値データＩｃｖ）をＲＧＢ画像データに変換するためのプリンタプロファイル３６をＬＵＴとして求めることができる。
【００２５】
同様に、印刷プロファイル２６も、予めメーカー等により与えられるものである。印刷プロファイル２６は、ＣＭＹＫの網％データをある刻みで変化させたときの測色値のテーブルである。例えば、ＣＭＹＫの網％データで１０％刻みの測色値のテーブルを作成しようとする場合、網％値を０、１０、…、１００％と変化させたＣＭＹＫの４色について１１＾４＝１４６４１色分の測色値を求める必要がある。しかし、実際には、この中、特徴的な数百色だけを標準的な印刷機により印刷本紙上にチャートとして印刷形成し、これを測色して前記１０％刻みの測色値のテーブル、すなわち標準的な印刷プロファイル２６（図１において、ＣＭＹＫ画像データＩｉｎ′（Ｃ′，Ｍ′，Ｙ′，Ｋ′）を測色値データＩｃｖ（Ｘ，Ｙ，Ｚ）に変換するための非線形な４次元のＬＵＴ）を作成するようにしている。
【００２６】
次に、階調（ドットゲイン）特性補正用の１次元ＬＵＴ２１〜２４の作成手順につき、単色のシアンＣを例としてＬＵＴ２１について図２に示すフローチャートに基づき説明する。なお、他の単色である、マゼンタＭ、黄Ｙおよび墨ＫのＬＵＴ２２〜２４についても以下に説明するシアンＣの作成手順と同一の手順により作成することができる。
【００２７】
まず、予め与えられている標準的な印刷プロファイル２６は、非線形の４次元ＬＵＴであるが、これに入力される入力網％データＩｉｎ（Ｃ，Ｍ，Ｙ，Ｋ）のうちマゼンタＭ、黄Ｙ、墨Ｋを、Ｍ＝Ｙ＝Ｋ＝０％とし、シアンＣをＣ＝０％から所定刻みで変化させたときの出力測色値ＸＹＺの値を得ることで、単色のシアンＣに関する非線形の測色変換特性（Ｃ網％→測色値ＸＹＺ）を得ることができる（ステップＳ１）。
【００２８】
図３に、このようにして求めたシアンＣの非線形の測色変換特性ＸＹＺを示す。次に、得られた測色変換特性ＸＹＺのうち、Ｃ＝０％（紙色であり、通常は白）とＣ＝１００％（いわゆるベタ）の差が最大となるＸＹＺの要素ｖ（図３例では、ｖ＝Ｘ）を選択し、要素（出力）ｖの変化に対するシアン（入力）Ｃの非線形特性（階調）をＰ１（％）（図４参照）とする（ステップＳ２）。
【００２９】
この場合、測色値ＸＹＺに係わる縦軸の出力ｖが変数、シアン（入力）Ｃの網％に係わる横軸の階調Ｐ１（％）が関数となるので、階調（非線形４次元ＬＵＴ）Ｐ１（％）を、次の（１）式で表すことができる。
【００３０】
Ｐ１（％）＝Ｐ１（ｖ）                                      …（１）
ここで、シアンＣの値がＣ＝０％のときの測色値をｖＷ、シアンＣの値がＣ＝１００％のときの測色値をｖＳとするとき（図４参照）、出力ｖの変化に対する入力Ｃの線形特性（階調）を階調（線形４次元ＬＵＴ）Ｐ０（％）とする。
【００３１】
この線形階調特性Ｐ０（％）は、図４から容易に次の（２）式で与えられることが理解される（ステップＳ３）。
【００３２】
Ｐ０（％）＝（ｖＷ−ｖ）／（ｖＷ−ｖＳ）        …（２）
上記（１）式の非線形の階調Ｐ１（％）は、図５に示すように、測色値（出力）ｖ、例えばｖ＝ｖＭをシアンＣの網％値Ｃ＝Ｃ１に変換するテーブルである。逆に考えれば、網％値Ｃ＝Ｃ１を測色値ｖ＝ｖＭに変換するテーブルであると考えることができる。
【００３３】
一方、上記（２）式の線形の階調Ｐ０（％）において、測色値ｖ＝ｖＭは、シアンＣの網％値Ｃ＝Ｃ０に変換される。
【００３４】
ここで、図１に示したように、標準的な印刷プロファイル２６を、標準の印刷条件に含まれる固有の階調（ドットゲイン）の特性であるＬＵＴ５１と、入力網％データＣ′に対して線形な色変換手段である線形４次元ＬＵＴ５５に分離するとき、線形４次元ＬＵＴ５５の階調は、階調Ｐ０に対応する。そして、標準的な印刷プロファイル２６に固有の階調の特性であるＬＵＴ５１の階調（ドットゲイン）を階調Ｔ０（％）とすると、この階調Ｔ０（％）では、ＬＵＴ５１の入出力で符号を考慮すると、入力網％値Ｃ′のＣ′＝Ｃ１を出力網％値Ｃ′′のＣ′′＝Ｃ０に変換する特性とする必要がある（図６参照）。
【００３５】
したがって、階調Ｔ０（％）は、次の（３）式で求めることができる（ステップＳ４）。
【００３６】
Ｔ０（％）＝Ｐ０（Ｐ１（Ｃ′））                      …（３）
この（３）式は、網％値Ｃ′がＣ′＝Ｃ１のとき、Ｐ１（Ｃ′）＝Ｐ１（Ｃ１）＝ｖＭとされ、この測色値ｖＭがＴ０＝Ｐ０（ｖＭ）＝Ｃ０と網％値Ｃ０（＝Ｃ′′）に変換されることを表している。
【００３７】
結果として、ＬＵＴ５１に設定される固有の階調Ｔ０（％）と、線形４次元ＬＵＴ５５の線形の階調Ｐ０（％）を用いることで、網％値Ｃ′を、測色値ＸＹＺに変換する標準的な印刷プロファイル２６と等価になる。
【００３８】
ここで、ＬＵＴ２１に設定する階調（特性）をＴ１（％）とする。そのとき、図７に示すように、画像データＩｉｎを構成するシアンＣの網％値Ｃが、ＬＵＴ２１の階調Ｔ１（％）により網％値Ｃ１に変換された後、シアンＣに係る印刷プロファイル２６（図７中、符号２６Ｃで示している。）中の固有の階調Ｔ０（％）により網％値Ｃ０に変換され、その後、線形４次元ＬＵＴ５５の階調Ｐ０（％）により測色値ｖＭに変換されることになる。
【００３９】
ＬＵＴ２１（階調Ｔ１（％））の入力側での階調の変化量が、ＬＵＴ５１（階調Ｔ０（％））の出力側での階調の変化量Δ％に等しくなることが、ユーザの感性に一致して好ましい。標準的な印刷プロファイル２６の印刷条件とこれから使用しようとする印刷機の印刷条件（所望の印刷条件）のドットゲインの差（中間調の階調の差）を、そのままＬＵＴ２１の入力側のユーザの調整量である変化量Δ％と考えればよいことになるからである。
【００４０】
これを実現するためには、図７において、まず、ＬＵＴ２１（階調Ｔ１（％））が存在しないものとしたとき、ＬＵＴ５１（階調Ｔ０（％））で網％値Ｃを調整したときのＬＵＴ５１（階調Ｔ０（％））の出力値が、Ｔ０（％）＝Ｔ０（Ｃ）となる。次に、網％値ＣをＬＵＴ２１（階調Ｔ１（％））とＬＵＴ５１（階調Ｔ０（％））で直列的に調整したときの、ＬＵＴＴ５１（階調Ｔ０（％））の出力値は、Ｔ０（Ｔ１（％））＝Ｔ０（Ｔ１（Ｃ））となる。したがって、このときの出力網％変化量Δ％は、次の（４）式で表される（ステップＳ５）。
【００４１】
Δ％＝Ｔ０（Ｔ１（％））−Ｔ０（％）                …（４）
ＬＵＴ２１（階調Ｔ１）の入力側での階調の変化量と、ＬＵＴ５１（階調Ｔ０）の出力側での階調の変化量Δ％とを等しくするためには、上記（４）式を階調Ｔ１（％）について解いた次の（５）式に示す逆関数Ｔ０−１（Δ％＋Ｔ０（％））の特性をＬＵＴ２１（階調Ｔ１）に設定すればよい（ステップＳ５）。
【００４２】
Ｔ１（％）＝Ｔ０−１（Δ％＋Ｔ０（％））            …（５）
ＬＵＴ２１（階調Ｔ１）に（５）式に示す階調特性を設定することにより、ＬＵＴ２１（階調Ｔ１）の入力側での階調の変化量と、ＬＵＴ５１（階調Ｔ０）の出力側での階調の変化量が共に変化量Δ％と一致し、ユーザの感性に合った調整を行えることとなる。
【００４３】
すなわち、与えられた標準の印刷プロファイル２６の印刷条件と、ユーザが実際に使用しようとする印刷機の印刷条件（所望の印刷条件）とが異なる場合であっても、階調変換手段としてのＬＵＴ２１〜２４に、標準的な印刷プロファイル２６に固有の階調特性を有するＬＵＴ５１〜５４のそれぞれ逆関数を階調特性として設定することにより、ユーザの網％の調整量（入力網％変化量）と印刷プロファイル２６における網％の変化量（出力網％変化量）とが一致し、結果として印刷プルーフシステム１０の精度を高めることができる。
【００４４】
なお、上述の実施の形態においては、図３、図４を参照して説明したように、固有の階調特性Ｔ０（％）（図６参照）は、標準の印刷条件に基づき作成された標準的な印刷プロファイル２６からＣＭＹＫ各色毎の入出力特性を求め、求めた入出力特性についてＣＭＹＫ各色の網％の０値と１００値における出力測色値ＸＹＺのうち差が最大となるいずれかの測色値ＸＹＺの階調特性に基づいて作成するようにしているが、これに限らず、入力画像データＩｉｎの特性（明るさや色味）に応じて、図３に示した出力測色値ＸＹＺの階調特性を重み付け平均した値を用いてもよい。
【００４５】
また、この発明は、上述の実施の形態に限らず、この発明の要旨を逸脱することなく、種々の構成を採り得ることはもちろんである。
【００４６】
【発明の効果】
以上説明したように、この発明によれば、与えられた標準の印刷条件を、各色の所望の印刷条件に合わせる際に、合わせようとする所望の印刷条件がどのような条件であっても、出力網％の変化量を、調整量としての入力網％の変化量と一致するようにしている。このため、標準の印刷条件の階調特性と所望の印刷条件との階調特性が異なっている通常の場合に、標準の印刷条件の階調を所望の印刷条件の階調に合わせるための階調変換の調整作業がユーザの感性にあったものとなり、熟練を必要せずに簡易に合わせることができる。
【図面の簡単な説明】
【図１】この発明の一実施の形態が適用された印刷プルーフ作成システムの構成を示すブロック図である。
【図２】標準の印刷条件の階調を所望の印刷条件の階調に変換するための階調特性の作成手法を説明するフローチャートである。
【図３】標準的な印刷プロファイルから求めた網％測色値変換特性を示す線図である。
【図４】網％測色値変換特性を線形部分と非線形部分とに分けて説明するための線図である。
【図５】標準の印刷条件に固有の階調特性を求める説明に供される線図である。
【図６】求めた固有の階調特性を示す線図である。
【図７】出力網％変化量と入力網％変化量を合わせる関数を求めるための説明に供される線図である。
【符号の説明】
１０…印刷プルーフシステム                １２…色変換部
１４…プリンタ                                        １６…スキャナ
１８…色分解部                                        ２１〜２４…階調変換用ＬＵＴ
２６…印刷プロファイル                        ３６…プリンタプロファイル
３９…画像                                                ４０…カラーペーパー
４２…校正刷り                                        ５１〜５４…ＬＵＴ
５５…線形４次元ＬＵＴ
【図１】
0003612200.tif 000002
【図２】
0003612200.tif 000003
【図３】
0003612200.tif 000004
【図４】
0003612200.tif 000005
【図５】
0003612200.tif 000006
【図６】
0003612200.tif 000007
【図７】
0003612200.tif 000008